(57)【特許請求の範囲】
【請求項１】
荷箱の上面開口部を被覆する天蓋装置において、
前記上面開口部の一側部には、スライドフレームがスライド機構により他側部側に向けて斜め上方に持ち上げられながらスライド自在に設けられ、該スライドフレームにシートの一端縁側部分が張設されるとともに、シートの他側縁が前記上面開口部の他側縁に止着されたことを特徴とする天蓋装置。
【請求項２】
前記スライド機構は、前記スライドフレームの基端部を回動自在に支持し、駆動装置により前記上面開口部の一側部から他側部にかけてスライド自在なスライダと、該スライダによる上面開口部の他側部側へのスライド動作に伴ってスライドフレームの先端部を上方に持ち上げる持ち上げ手段とからなることを特徴とする請求項１記載の天蓋装置。
【請求項３】
前記持ち上げ手段は、スライドフレームに下方へ突設されたローラと、該ローラを上面開口部の一側部から他側部にかけて案内するガイドレールとを備え、ガイドレールの一側部側が下方に傾斜した傾斜部になされたことを特徴とする請求項２記載の天蓋装置。
【請求項４】
前記シートには、開放時のシートの下方への弛みを抑制する弛み抑制手段が設けられたことを特徴とする請求項１、２又は３記載の天蓋装置。
【発明の詳細な説明】
【０００１】
【発明の属する技術分野】
本発明は、荷箱の上面開口部を被覆する天蓋装置に関するものである。
【０００２】
【従来の技術】
従来、荷箱の上面開口部をシートで被覆することで、収容物の飛散防止や防水を図っている。このようにシートで荷箱の上面開口部を被覆する手法としては、作業者が荷箱の上部に昇ってシートを手で上面開口部に亘って掛けるか、または天蓋装置を用いてシートを上面開口部に亘って掛けている。
【０００３】
そして、上記従来の天蓋装置の具体的な構成としては、例えば実開平５−７２５４１号公報に見られるように、荷箱の上面開口部の両側縁にシートを張設した一対の回動フレームを回動自在に設け、この一対の回動フレームを荷箱の上面開口部を覆う水平状態から互いに側方に回動させて荷箱の側面に沿って配置する垂直状態まで回動させ、また逆の動作で上記垂直状態から水平状態に回動させることで、荷箱の上面開口部を開閉するようにしている。
【０００４】
【発明が解決しようとする課題】
しかしながら、作業者が手でシートを掛けるのには過大な労力を必要として、負担が大きいという問題があった。
【０００５】
一方、前述した従来の天蓋装置の回動フレームを回動させることにより、荷箱の上面開口部を機械的に開閉するものでは、作業者の負担を無くすことができ有効であるものの、回動フレームを側方に向けて突出させながら回動させるため、この回動フレームが回動できるだけのスペースが荷箱の側方に必要になり、周囲のスペースの有無により使用が規制されるという問題があった。また、防水性を高めるためには、左右の回動フレームの先端縁部同士を厳密にシールする必要があることから、先端縁部同士がズレたりするとシール機能を確保できず信頼の高い防水性を期待できないという問題があった。
【０００６】
本発明は、上記問題点に鑑みてなされたもので、その目的とするところは、機械的に開閉させることで作業者の負担を無くすとともに、荷箱の側方に突出させることなくシートを開閉し、且つ防水性に優れた天蓋装置を提供することにある。
【０００７】
【課題を解決するための手段】
請求項１に係る発明の天蓋装置は、荷箱の上面開口部を被覆する天蓋装置において、前記上面開口部の一側部には、スライドフレームがスライド機構により他側部側に向けて斜め上方に持ち上げられながらスライド自在に設けられ、該スライドフレームにシートの一端縁側部分が張設されるとともに、シートの他側縁が前記上面開口部の他側縁に止着されたものである。
【０００８】
請求項２に係る発明の天蓋装置は、前記スライド機構は、前記スライドフレームの基端部を回動自在に支持し、駆動装置により前記上面開口部の一側部から他側部にかけてスライド自在なスライダと、該スライダによる上面開口部の他側部側へのスライド動作に伴ってスライドフレームの先端部を上方に持ち上げる持ち上げ手段とからなるものである。
【０００９】
請求項３に係る発明の天蓋装置は、前記持ち上げ手段は、スライドフレームに下方へ突設されたローラと、該ローラを上面開口部の一側部から他側部にかけて案内するガイドレールとを備え、ガイドレールの一側部側が下方に傾斜した傾斜部になされたものである。
【００１０】
請求項４に係る発明の天蓋装置は、前記シートには、開放時のシートの下方への弛みを抑制する弛み抑制手段が設けられたものである。
【００１１】
【発明の実施の形態】
以下、本発明の実施の形態を図面を参照して説明する。
【００１２】
図１は、本発明の天蓋装置の構成を示す平面図である。
【００１３】
図１において、１は荷箱であって、当該荷箱１の上面には収容物を投入するための開口部（上面開口部）２が形成されており、この開口部２が天蓋装置３によて開閉自在になされている。
【００１４】
なお、ここでは説明の便宜上、図１における左右を左右といい、図１における下側を前として当該図１における上下を前後という。
【００１５】
前記天蓋装置３は、スライドフレーム４と、シート５と、スライドフレーム４を前後にスライドさせるスライド機構６とを備えてなるものである。
【００１６】
スライドフレーム４は、前後方向に配設された左右２本の縦枠４１と、左右方向に配設された前後２本の横枠４２とで長方形に形成された枠体であって、開口部２の後側となる一側部側を所定の前後幅で左右に亘って配置されるとともに、当該スライドフレーム４の全体に亘ってシート５の後側部分となる一端縁側部分５ａが張設されている。
【００１７】
シート５は、前記開口部２全体を被覆する大きさの長方形に形成され、且つ可撓性を有するもので、上述したように一端縁側部分５ａがスライドフレーム４に張設されるとともに、前側縁となる他側縁が前記開口部２の他側縁２ａに固設されている。
【００１８】
前記スライド機構６は、荷箱１の上面の前記開口部２の左右両側に沿って前後方向にスライド自在な一対のスライダ７と、これらスライダ７を同調させてスライド駆動させる駆動装置８と、スライドフレーム４を斜め上方に持ち上げる持ち上げ手段９（図２参照）とを備えている。
【００１９】
スライダ７は、図２に示すように、前後に所定間隔を隔てて一対のローラ７２が転動自在に支持された本体部７１と、一対のローラ７２を上下から挟んで当該ローラ７２を前後に案内するガイド枠７３とで構成されている。
【００２０】
本体部７１には、図１に示すように、その中央部に前記スライドフレーム４の縦枠４１の後端側となる基端部が横枠４２と同心上に回動自在に支持されている。従って、スライドフレーム４は、スライダ７に対して後方側の横枠４２を中心として上下に回動可能になされている。
【００２１】
駆動装置８は、図１に示すように荷箱１の上面前側部に沿って左右方向に軸支された回転軸８１と、該回転軸８１の両端に設けられたスプロケット８２と、該スプロケット８２に相対するように軸支された他方のスプロケット８２ａと、これらスプロケット８２、８２ａのそれぞれ右側前後と左側前後に亘って巻回された一対のチェーン８３と、回転軸８１を正逆方向に回転駆動させる駆動モータ８４とで構成されている。
【００２２】
上記各スプロケット８２、８２ａに巻回されたチェーン８３は、図３に示すようにその両端部８３ａが前記スライダ７の前後に止着されており、これらチェーン８３とスライダ７とによって閉ループを形成している。
【００２３】
また、上記回転軸８１の一端は減速機８５によって上記駆動モータ８４の出力軸８４ａにチェーン及びスプロケットを通じて連繋されている。つまり、回転軸８１が駆動軸となり、各スプロケット８２を通じて左右のチェーン８３を正逆方向に循環駆動させることで、スライダ７を前後方向に移動させるようにしている。
【００２４】
なお、本実施の形態では、駆動装置８を荷箱１の左前端部に設けるものについて説明したが、これに限定されるものではなく、左後端部、右前後端部に設けるようにしてもよい。また、駆動装置８は、駆動モータ８４により駆動されるようにしているが、手動式であってもよい。
【００２５】
一方、持ち上げ手段９は、図２に示すように、前記各縦枠４１の途中部底面にブラケット９２を介して突設されたローラ９１と、前記ガイド枠７３と平行に設けられ、ローラ９１を前後に案内するガイドレール９３とで構成されている。
【００２６】
ガイドレール９３は、前方から途中部までが水平部９３ａに形成されるとともに、当該途中部から後方にかけて下方に傾斜した傾斜部９３ｂに形成されており、スライドフレーム４が後方に移動してシート５で開口部２を閉塞した際には当該スライドフレーム４が水平になるようになされている。従って、スライドフレーム４が後方から前方に移動するに伴ってローラ９１がガイドレール９３の傾斜部９３ｂに沿って上方に移動することで、これらローラ９１とガイドレール９３との協働作用によりスライドフレーム４の先端部を上方に持ち上げ、当該スライドフレーム４全体が前方に向かって上方に傾斜した状態で移動することになる。
【００２７】
上述の状態でスライドフレーム４が後方から前方に移動することで、スライドフレーム４に張設されていないシート５の他端部分が下方に弛みながら、開口部２を開放して行くことになる。この際、シート５の他端部分が開口部２内に弛み過ぎるのを抑制するための弛み抑制手段が設けられている。弛み抑制手段としては、例えばシート５の上面に適数本（例えば３本）の長尺状のゴム部材１０の両端部を止着することで前後方向に配設しており、これらゴム部材１０によって開放するシート５に適度な張力を上方に与えて弛みを抑制するようにしている。
【００２８】
なお、必要に応じては、荷箱１の開口部２の上方に、シート５の支持や荷箱１の補強的な面から枠体を架設してもよい。
【００２９】
次に、このように構成された天蓋装置の開閉動作について説明する。
【００３０】
まず、シート５が開口部２を閉塞している状態では、スライドフレーム４は図２に示すように荷箱１の上面の後方に水平に配置されている。この状態で駆動モータ８４を駆動させてスライダ７を後方から前方に移動させる。つまり、駆動側の回転軸８１を通じて図３においてスプロケット８２を反時計回りの方向に回転させてチェーン８３を矢符Ｐ方向に循環させることで、スライダ７を前方に移動させる。
【００３１】
このスライダ７の移動に伴ってスライドフレーム４も同様に前方に移動する。この際、スライドフレーム４の縦枠４１に設けたローラ９１がガイドレール９３の傾斜部９３ｂに沿って徐々に上方に移動することから、当該スライドフレーム４の先端部がスライダ７に支持された基端側（後方の横枠４２）を中心にして徐々に上方に持ち上げられる。そして、ガイドレール９３の水平部９３ａに達した際には、図２に一点鎖線で示すようにスライドフレーム４全体が傾斜した状態になり、ここからはこの状態を保持した姿勢で前方に移動する（図２の二点鎖線参照）。
【００３２】
このようにスライドフレーム４が移動することで、このスライドフレーム４が牽引役となってシート５のスライドフレーム４に張設された一端縁側部分５ａが徐々に前方に移動し、シート５の他端部分が下方に弛みながら当該シート５全体が開口部２の前端縁側に移動して開口部２を開放する。この際、シート５はゴム部材１０により適度な張力で上方に引っ張られるために、開口部２内に弛み過ぎて入り込むことなく、スライドフレーム４と荷箱１の上面前端部との間に折り畳まれるような形で格納される。
【００３３】
また、シート５で開口部２を閉塞する場合には、上述と逆の動作により行われる。即ち、駆動モータ８４を上述と逆に回転させてスライダ７を上述と逆に前方から後方に移動させ、スライドフレーム４を同様に前方から後方に移動させることで、折り畳まれたシート５が徐々に後方側に引き出され開口部２全体を閉塞する。
【００３４】
このようにシート５による開口部２の開閉をスライドフレーム４の前後のスライドによって行うことで、開口部２をシート５で開閉する際の作業者の負担を無くすことができる。また、スライドフレーム４が前後にスライドするだけの動作であることから、荷箱１の側方に突出する箇所を最小限にしてシート５を開閉させることができ、従来のものに比べてスペース面での緩和を図ることができる。さらに、一枚もののシート５で開口部２を覆うことから、防水性の面でも優れた効果を奏することができる。
【００３５】
つまり、荷箱１に収容物を収容した際に、シート５で上面開口部２を上述のように被覆することで、収容物の飛散防止と防水性を確保でき、当該荷箱１を車輌に搭載した場合などに効果的である。
【００３６】
なお、本実施の形態では、弛み抑制手段としてゴム部材１０を例に採って説明したが、これに限らず、例えばシート５の他端縁側部分を蛇腹状にすることでも弛み抑制手段を構成することができる。
【００３７】
【発明の効果】
以上述べたように、本発明の天蓋装置によれば、スライドフレームを前後にスライドさせることによってシートを移動させ開口部を開閉することで、作業者の負担を無くすとともに、荷箱の側方に突出する箇所を最小限にしてシートを開閉させることができ、従来のものに比べてスペース面での緩和を図ることができる。さらに、一枚のシートで開口部を覆うことができることから、防水性の面でも優れた効果を奏することができる。
【００３８】
また、シートに弛み抑制手段を設けることで、シートを開放する際に、開口部内にシートが弛み過ぎるのを防止でき、スライドフレームのスライド動作に伴うシートによる開口部の開閉を円滑に行うことができる。
【図面の簡単な説明】
【図１】本発明の天蓋装置の構成を示す平面図である。
【図２】スライダ及び持ち上げ手段の具体的な構成を示す側部から見た図である。
【図３】スライダをスライドさせるチェーンの巻回状態を示す側部から見た図である。
【符号の説明】
１  荷箱
２  開口部（上面開口部）
２ａ  他側縁
３  天蓋装置
４  スライドフレーム
５  シート
５ａ  一端縁側部分
６  スライド機構
７  スライダ
８  駆動装置
９  持ち上げ手段
９１  ローラ
９３  ガイドレール
９３ｂ  傾斜部
１０  ゴム部材（弛み抑制手段）
【図１】
0004187955.tif 000002
【図２】
0004187955.tif 000003
【図３】
0004187955.tif 000004